【事件の表示】
　特願２００１−１７０６２２「約束手形類情報入力支援装置およびプログラム並びに記録媒体」拒絶査定不服審判事件〔平成１４年１２月２０日出願公開、特開２００２−３６６７７２〕について、次のとおり審決する。
【結　論】
　本件審判の請求は、成り立たない。
【理　由】
１．手続の経緯
　本願は、平成１３年６月６日の出願であって、平成１６年１１月２９日付けで拒絶査定がなされ、これに対して、平成１７年１月５日に拒絶査定に対する審判請求がなされるとともに、同年２月２日付けで手続補正がなされたが、平成１９年１１月９日付けの補正却下の決定により平成１７年２月２日付けの手続補正が却下されるとともに、当審において平成１９年１１月２７日付けで拒絶理由が通知され、平成２０年１月３１日付けで手続補正がなされたものである。
　
２．本願発明について
　本願の請求項１に係る発明（以下「本願発明」という。）は、平成２０年１月３１日付けの手続補正により補正された特許請求の範囲の請求項１に記載された事項により特定される次のとおりのものである。 
　
「約束手形または小切手に印字された磁気インク文字を読み取るリーダーと、
　このリーダーで読み取られた前記磁気インク文字の情報を種別毎に分類してコンピュータ読み取り可能なデータとして出力する手段と、
　約束手形類発行所コードに対応する約束手形類発行所における磁気インク文字の情報の種別毎の印字フォーマットを予め格納した記憶手段と、
　前記リーダーで読み取られた前記磁気インク文字の情報から、所定の開始および終了を表す記号で挟まれた情報を約束手形類発行所コードとして認識する手段と、
　認識された約束手形類発行所コードに基づいて、前記記憶手段に格納された当該約束手形類発行所における磁気インク文字の情報の種別毎の印字フォーマットを抽出する手段と、
　前記リーダーで読み取られた前記磁気インク文字の情報のうち、前記約束手形類発行所コード以外の情報である約束手形類発行所本支店コード、当座預金口座番号、約束手形番号または小切手番号を、前記抽出された印字フォーマットに対応して情報の種別毎に分類してディスプレイの約束手形内容または小切手内容の表示画面上に出力する手段と
を有することを特徴とする約束手形類情報入力支援装置。」
　
３．引用例
（３−１）引用例１
　当審において通知した拒絶理由で引用された、特開昭６３−６５５８９号公報（以下「引用例１」という。）には、図面とともに、以下の記載がある。
　
（ア）「背景技術
　銀行などの金融機関の窓口において、現金及び有価証券などの出納業務を取扱う金銭出納機が用いられている。このような金銭出納機には、磁気インク読取り装置（Magnetic Ink Character Reader）に接続することができ、この磁気読取り装置によって小切手の磁気インクで印字された金額などの出納業務に関連する情報を読取ることができる。」（１頁右下欄２〜１０行）
　
（イ）「本発明の目的は、上記問題点を解決し、現金および有価証券などの出納対象に対応して複数種類の読取り形式を、予め記憶させておき、適宜希望する読取り形式を選択して読取ることができるようにした金銭出納機を提供することである。」（１頁右下欄１９行〜２頁左上欄３行）
　
（ウ）「作用
　本発明に従えば、読取り手段の相互に異なる複数種類の読取り形式が記憶手段に記憶される。選択手段によって複数種類の読取り形式のうちの希望するものを選択することによって、前記記憶手段から当該選択された読取り形式が読出され、この読取り形式に基づいて前記読取り手段が、読み取り動作を行う。したがって広範囲の種類の小切手などの出納対象を簡単な操作で読取ることができ、きわめて実用的である。」（２頁左上欄１７行〜同頁右上欄６行）
　
（エ）「第１図は金銭出納機２５の電気的構成を示すブロック図である。第１図を参照して、金銭出納機２５の電気的構成について説明する。金銭出納機２５は各種動作を制御する例えばマイクロプロセッサなどから構成される制御部２６を含む。制御部２６には前記操作部１における数値キー群２などのキー入力を行うキー入力部２７と、表示部１８と、プリンタ１７と、磁気インク読取り装置５０とがそれぞれ接続される。
　制御部２６には、たとえばＲＯＭ（リードオンリメモリ）などから構成される固定記憶部２８と、たとえばＲＡＭ（ランダムアクセスメモリ）などによって実現される随時記憶部２９と、小切手の出納処理に関連する情報がストアされるバッファメモリ３０と、金銭出納機２５が例えばエラー状態となったときブザー音などを発生する報知装置３１とが接続される。
　前記固定記憶部２８は、主制御プログラムが記憶される第１記憶部２８ａと、小切手読取り用フォーマットが記憶される第２記憶部２８ｂとを有する。
　第３図は固定記憶部２８の第２記憶部２８ｂのストア領域を示す図である。第２記憶２８ｂには、数値キー群２のキー番号に対応したコード番号が記憶されるコード番号記憶領域５５と、小切手Ｒ（第４図参照）毎の小切手の連番（Account Number）Ｘの読取り位置Ｄ１が記憶される読取り位置記憶領域５１と、小切手の連番Ｘの読取り長さＤ２が記憶される読取り長さ記憶領域５２と、小切手の出納金額Ｙの読取り位置Ｄ３が記憶される読取り位置記憶領域５３と、出納金額Ｙの読取り長さＤ４が記憶される読取り長さ記憶領域５４とを有する。数値キー群２のうちの１つが操作されて、コード番号が指定されたときには、これらの小切手の読取りフォーマットに関連する情報Ｄ１，Ｄ２，Ｄ３，Ｄ４が読出され、この読取りフォーマットに基づいて小切手の出納情報が読取られる。
　第４図は小切手Ｒの簡略化した正面図である。小切手の読取り領域６０には、小切手の連番Ｘや、出納金額Ｙあるいは暗証コードＺなどが、磁気インクによって予め印字されている。これらの読取り領域６０の第４図における上方に、読取り位置及び読取り範囲を規定するためのたとえば連続数字「１」〜「３８」からなる指標Ｍが、予め磁気インクによって印字されている。これらの指標Ｍは、読取り領域６０に印字されている出納情報である数字毎に対応している。後述するように小切手を磁気インク読取り装置５０で読取る場合には、指標Ｍに基づいて予め設定された読取り位置および読取り範囲に基づいて読取動作が行われる。
　第５図は本実施例の金銭出納機２５の動作を説明するフローチャートである。以下の説明では金銭出納機２５を用いて、第４図示の小切手Ｒを入金する場合について説明する。ステップｎ１ステップｎ１ａに移り、実行キーＫが操作される。次にステップｎ２で読取られるべき小切手Ｒの読取りフォーマットが第１種類であるため、数値キー群２のうちのキー番号「１」のキーを操作する。これによって制御部２６は第２記憶部２８ｂのコード番号「１」が指定され、第３図に示す小切手連番Ｘの読取り位置「２５」と、小切手の連番Ｘの読取り長さ「１４」と、出納金額Ｙの読取り位置「０５」と、出納金額Ｙの読取り長さ「０６」が読出され、制御部２６のレジスタ３７（第１図参照）にストアされる。
　次にステップｎ３で磁気インク読取り装置５０によって小切手Ｒが読取られる。この読取られたデータは、随時記憶部２９にストアされる。
　次にステップｎ４で小切手の連番の読取り位置及び読取り長さの設定があるか否かが判断され、設定されている場合にはステップｎ５に移って、随時記憶部２９にストアされている読取りデータのうち、前記設定された読取り位置Ｄ１および読出し長さＤ２に基づいて小切手の連番Ｘを探し出す。第４図示の小切手Ｒでは小切手の連番の読取り位置Ｄ１が「２５」であり、その読取り長さＤ２が「１４」であるため、小切手Ｒの指標Ｍの「２５」から「５８」までの範囲に対応する数字「１１６３１００６２３６０７０」が小切手の連番Ｘとなる。
　次にステップｎ６に移って出納金額Ｙの読取り位置Ｄ３および読取り長さＤ４の設定があるか否かが判断される。
　なお前記ステップｎ４において、小切手の連番の読取り位置Ｄ１および読取り長さＤ２の設定がない場合にはステップｎ６に移る。ステップｎ６において設定されている場合には、ステップｎ７で随時記憶部２９にストアされている読取りデータより、設定されている出納金額Ｙの読取り位置Ｄ３および読取り長さＤ４によって、出納金額Ｙを探し出す。第４図示の小切手の場合には、読取り位置Ｄ３が「０５」であり、読取り長さＤ４が「０６」であるため小切手Ｒの指標Ｍの「５」から「１０」までの範囲にある数字「００４６７６」が、出納金額Ｙとなる。次にステップｎ８でプリンタ１７によって、読取られた小切手の連番Ｘおよび出納金額Ｙが印字され、ステップｎ９で表示部１８に表示される。次にステップｎ１０に移って複数枚の小切手のすべての読取り処理が終了したか否かが判断される。終了されていないときには、たとえばステップｎ２に戻る。前記ステップｎ６において、出納金額Ｙの読取り位置Ｄ３および読取り長さＤ４が設定されていないときにはステップｎ１０に移る。
　ステップｎ１０で読取り処理が終了したときには、ステップｎ１１において当該取引は入金取引であることを示す「入」キー８を操作する。これによって小切手の連番Ｘ、金額Ｙおよび小切手の種類などの小切手の出納取引に関する情報がバッファメモリ３０にストアされ、ステップｎ１５で動作が終了する。
　前述の説明においては、小切手Ｒは第１種類の読取りフォーマットであるため、数値キー２のうちの「１」が操作されたけれども、その他の読取りフォーマットである場合には、その読取りフォーマットに対応する番号を有する数値キー２を選択的に操作すればよい。これによって小切手の相互に異なる複数種類の形式がある場合にも、簡単な操作で小切手の出納取引に関する情報を確実に読取ることができる。
　前述の実施例では、小切手の入金時において小切手を磁気インク読取り装置５０によって読取る場合について説明したけれども、その他の出納処理手順において、小切手を磁気インク読み取り装置５０によって読取る場合にも、本発明は好適に実施することができる。
　また本発明は、小切手の読み取りだけでなく、為替や有価証券などの読取り対象においても好適に実施することができる。」（２頁右下欄２０行〜４頁左下欄９行）
　
　上記摘記事項（エ）には、マイクロプロセッサなどから構成される制御部が、磁気インク読取り装置で読み取られた小切手に印字された磁気インクの数字の情報から、予め設定された小切手の連番の読取り位置及び読取り長さに基づいて小切手の連番を探し出し、予め設定された出納金額の読取り位置及び読取り長さに基づいて出納金額を探し出し、読み取られた小切手の連番及び出納金額を、プリンタに印字させ、表示部に表示し、バッファメモリにストアすることが記載されているから、技術常識に照らしてみれば、金銭出納機が、磁気インク読取り装置で読み取られた磁気インクの数字の情報を出力する手段を備えていることは明らかである。
　また、上記摘記事項（イ）には、複数種類の読取り形式を予め記憶させておくことが記載されており、上記摘記事項（エ）には、ＲＯＭ（リードオンリメモリ）などから構成される固定記憶部が、小切手読取り用フォーマットが記憶される第２記憶部を有していることが記載されているから、技術常識に照らしてみれば、第２記憶部が、小切手読取り用フォーマットを予め記憶していることは明らかである。
　また、上記摘記事項（エ）には、数値キー群のうちの１つが操作されて、コード番号が指定されることが記載されているから、技術常識に照らしてみれば、金銭出納機が、数値キー群で入力された数値をコード番号として指定する手段を備えていることは明らかである。
　また、上記摘記事項（エ）には、指定されたコード番号に対応する、小切手の連番の読取り位置、小切手の連番の読取り長さ、出納金額の読取り位置及び出納金額の読取り長さからなる小切手読取り用フォーマットが読み出されることが記載されているから、技術常識に照らしてみれば、金銭出納機が、指定されたコード番号に基づいて、第２記憶部に記憶された当該小切手における磁気インクの数字の情報の小切手の連番の読取り位置、小切手の連番の読取り長さ、出納金額の読取り位置及び出納金額の読取り長さからなる小切手読取り用フォーマットを読み出す手段を備えていることは明らかである。
　また、上記摘記事項（エ）には、読み取られた小切手の連番及び出納金額が、表示部に表示されることが記載されているから、技術常識に照らしてみれば、金銭出納機が、磁気インク読取り装置で読み取られた磁気インクの数字の情報のうち、小切手の連番及び出納金額を、表示部に出力する手段を備えていることは明らかである。
　
　これらの記載事項及び図面の内容を総合すると、引用例１には、
「小切手に印字された磁気インクの数字を読み取る磁気インク読取り装置と、
　この磁気インク読取り装置で読み取られた前記磁気インクの数字の情報を出力する手段と、
　コード番号に対応する磁気インクの数字の情報の小切手の連番の読取り位置、小切手の連番の読取り長さ、出納金額の読取り位置及び出納金額の読取り長さからなる小切手読取り用フォーマットを予め記憶した第２記憶部と、
　数値キー群で入力された数値をコード番号として指定する手段と、
　指定されたコード番号に基づいて、前記第２記憶部に記憶された磁気インクの数字の情報の小切手の連番の読取り位置、小切手の連番の読取り長さ、出納金額の読取り位置及び出納金額の読取り長さからなる小切手読取り用フォーマットを読み出す手段と、
　前記磁気インク読取り装置で読み取られた前記磁気インクの数字の情報のうち、小切手の連番及び出納金額を、表示部に出力する手段と
を有することを特徴とする金銭出納機。」
との発明（以下「引用例１発明」という。）が開示されていると認めることができる。
　
（３−２）引用例２
　当審において通知した拒絶理由で引用された、特開平３−１０２４７０号公報（以下「引用例２」という。）には、図面とともに、以下の記載がある。
　
（オ）「〔産業上の利用分野〕
　本発明は、手形、小切手等の証券の額面を読み取ってクリアバンド内に金額を印字するようにした証券処理装置に関するものである。
　
〔従来の技術〕
・・・（中略）・・・
　第４図に小切手の券面の一例を示す。図に示すように、小切手の券面の中央付近には使用者が金額を記入する金額欄が設けられており、一般にはチェックライタ文字による記入が行われる。また、券面の下部にはクリアバンドと称される領域が設けられている。クリアバンドには、手形交換所番号ａ及び金融機関番号ｂを記入する交換番号欄と、店番号ｃ、口座番号ｄ及び小切手番号ｅを記入する自行欄と、金額ｆを記入する金額欄とが含まれている。
・・・（中略）・・・
　
〔発明が解決しようとする課題〕
　ところで、上述した手形・小切手用紙は、改ざん防止のために地紋が印刷されており、この地紋は各金融機関でまちまちの色、図案が使用されているため、この地紋の上に印字されたチェックライタ文字をパターン認識で読み取って額面金額を識別し、クリアバンド内に金額を自動的に記入するといった手形・小切手の自動処理が不可能であるという問題点があった。
　本願発明は、このような点にかんがみて創作されたものであり、手形・小切手の自動処理が可能な証券処理装置を提供することを目的としている。
　
〔課題を解決するための手段〕
　第１図は、本発明の証券処理装置の原理ブロック図である。
　図において、券面情報読取り手段１２１は、証券１１１の券面に記載された情報の読み取りを行う。
　金融機関識別手段１３１は、券面情報読取り手段１２１で読み取った券面のクリアバンド内の金融機関番号に基づいて金融機関を識別する。
　前処理手段１４１は、券面情報読取り手段１２１で読み取った証券１１１の画像データに対して、金融機関識別手段１３１で識別した金融機関に対応した処理を施して券面の地紋の影響を取り除く。
　識別手段１５１は、前処理手段１４１で処理された画像データに基づいて記載内容を識別する。
　従って、全体として、地紋の影響を取り除いて証券１１１の額面を読み取るように構成されている。」（２頁左上欄５行〜同頁右下欄５行）
　
（カ）「なお、本発明の実施例にあっては、クリアバンド内の金融機関番号をスライスレベルを高レベルに設定して光学的に読み取るようにしたが、磁気インキ文字読取装置（ＭＩＣＲ）によって磁気インキを読み取るようにしてもよい。」（５頁左上欄３〜７行）
　
（３−３）引用例３
　当審において通知した拒絶理由で引用された、ＦＡＣＯＭ　ＯＳ ＩＶ／Ｘ８　ＭＩＣＲデータ変換マクロ命令使用手引書、富士通株式会社、昭和５４年７月、初版、Ｐ.１−２７（以下「引用例３」という。）には、図面とともに、以下の記載がある。
　
（キ）「磁気インク文字読取装置（Magnetic Ink Character Reader）は，銀行における手形，小切手の交換業務用を主な目的として開発されたB9137（バローズ社製）をMICR製御装置（F1042A）を介して，FACOMシステムに接続し，使用するものである．」（１頁左欄５〜９行）
　
（ク）「１.３　ドキュメントの区分とフィールド形式
　ドキュメントのフィールドと，使用区分は全国銀行協会連合会の取り決めたものとし，図１.４に示すようにすべてのフィールドは１〜６５けたであり，その中は次のフィールドで区分される．
　・金額欄：アマウントフィールド
　・自行欄：オンアスフィールド
　・交換番号欄：トランシットナンバフィールド
　・補助自行欄：オークジアリフィールド
　各フィールドの使用区分を説明する．
　
（１）金額欄（アマウントフィールド）
ａ．けた数は１０けたの固定長で両端をアマウントシンボルで囲む．
ｂ．金額が１０けたに満たないときは０を詰める．
　
（２）自行欄（オンアスフィールド）
ａ．けた数は最大２０けたの可変長で，空白が入ってもよい．
ｂ．持帰銀行だけが使用し，使用は自由であるが，一般に左から支店番号，口座番号，取引コードなどが印字されることが考えられる．
ｃ．事前印字文字と事後印字文字との間は１文字分空けること．
　
（３）交換番号欄（トランシットナンバフィールド）
ａ．けた数は８けたの固定長で，両端はトランシットシンボルで囲む．
ｂ．配列は，４けた−ダッシュシンボル−４けたとし右４けたは銀行番号，左４けたは手形交換所番号とする．
ｃ．番号印字が８けたに満たないときは０を詰める．
　
（４）補助自行欄（トランシットナンバフィールド）
ａ．小切手の場合
（ａ）けた数は７けたの可変長であり，空白が入ってもよい．
（ｂ）持帰銀行だけが使用するが，使用については各銀行の自由である．
　
ｂ．約束手形の場合
　補助自行欄を２分割し，補助自行欄１は持帰銀行，補助自行欄２は持出銀行が使用するものとする．
（ａ）補助自行欄１
　７けたの可変長で，オンアスシンボル以外は使用できない．
（ｂ）補助自行欄２
　１４けたの可変長で，オンアスシンボル以外は使用できない．
　５１けた目は空白とする．」（４頁左欄第９行〜５頁左欄４行）
　
（ケ）「１.４.３　データ領域の形式
　データ領域は，入力バッファ領域に格納されたドキュメント内容が転送される領域である．このとき，編集指定（ＦＣＢマクロ命令のＥＤＫＹパラメタで指示）がされているとき，入力バッファ領域内の内容がデータ領域の各欄に区分（編集）して格納される．
　編集不要の指示をすれば，入力バッファ領域内に格納された内容で格納される．
　そのときの，編集処理の概要を図１.１２に示す．
　
（１）編集処理の指示がある場合
　データ領域内の区分を図１.１３に示す．」（８頁右欄１行〜９頁左欄２行）
　
（コ）「（７）編集処理
・・・（中略）・・・
ａ．編集方法
（ａ）エンコード（”００”（１６進））
　データ領域より２バイト目に設定する．
（ｂ）補助自行欄
　・ＦＣＢに指定された編集文字（１バイト）により補助自行欄ＩとIIとに区分する．
　　編集文字は補助自行欄IIに含む．ただし編集文字が補助自行欄に２つ以上ある場合は，最左の文字に対して適用する．
　・編集指定がない場合には，ＩとIIを区別しないで，この欄全体をＩとする．
　・補助自行欄IIの最左けたは，基本レコードアドレスより２７バイト目．
　・補助自行欄のけた数が２１けた未満であればＩとIIの間は空白である．
　　図２.１０に補助自行欄の編集を示す．
　
（ｃ）交換番号欄
　左のトランシットシンボルは，基本レコードアドレスから２８バイト目，したがって右のシンボルは３８バイト目に編集する．図２.１１に編集図を示す．
　
（ｄ）自行欄
　・自行欄内の最右のオンアスシンボル（’）によりこの欄をアカウントフィールドとプロセスフィールドに区別する．
　・オンアスシンボルは，アカウントフィールドに含まれる．
　・オンアスシンボルがないときは，自行欄全体をプロセスフィールドとする．
　・アカウントフィールドの最左けたは，基本レコードアドレスより３９バイト目．
　・プロセスフィールドの最右けたは，基本レコードアドレスより５８バイト目．
　・自行欄のけた数が２０けた未満であれば，アカウントフィールドとプロセスフィールドの間は空白である．
　　図２.１２に編集図を示す．
　
（ｅ）金額欄
　左のアマウントシンボルは基本レコードアドレスより５９バイト目，右のシンボルは７０バイト目に合わせる．
　図２.１３に編集図を示す．
　
ｂ．編集形式図
　読み取られたデータが，どのように編集されるかを図２.１４に示す．
　読み取られたデータは，ドキュメント上の各フィールドが圧縮された形式になり，編集では各フィールドのシンボルを判定し，余分な領域には空白を挿入してドキュメント上のフィールドと同一形式にする．
（ａ）自行欄の編集形式
　最初に発見されたオンアスシンボルを自行欄の中心とみなし，プロセスフィールドに分離する．そのとき発見されたオンアスシンボルはアカウントフィールドに含まれる．
　なお，オンアスシンボルが存在しない場合，データはすべてプロセスフィールドと見なす．
　図２.１５に自行欄の編集形式図を示す．
　
（ｂ）補助自行欄の編集形式
　ＦＣＢの編集文字で自行欄Ｉ・IIの区別をする．
　データの記述方向は自行欄と同じで，発見された編集文字は補助自行欄IIへ挿入される．なお，補助自行欄に編集文字が存在しない場合はすべて補助自行欄Ｉと見なす．図２.１６に補助自行欄の編集形式図を示す．」（２１頁左欄１２行〜２２頁右欄７行）
　
（３−４）引用例４
　登録実用新案第３０６７５３６号公報（平成１２年４月７日発行。以下「引用例４」という。）には、図面とともに、以下の記載がある。
　
（サ）「【００１３】
　次の手形要件である手形券面の下端傍部に設けたクリアーバンド４上にＭＩＣＲ磁気印字されている銀行コード５、銀行支店コード６、振出人口座番号７、手形番号８は自動読み取りできるＭＩＣＲリーダー装置（ＭＩＣＲ　ＲＥＡＤＥＲ）Ｂに読取りデーター入力する。この時必要に応じて手形交換所の地域コード（交換所コード）も入力する。この読取り入力の実施形態としては、読取ったＭＩＣＲデーターにより手形種別、銀行名やその支店名、振出人口座番号、手形番号、その他の要件事項が手形要件入力システムのデーターベースから検索され、手形フォーマットの所定位置に画面表示されると共に手形管理システムのデーターベース情報として格納される（図示せず）。さらに、振出人名はＭＩＣＲで読取った手形の口座番号により、受取人の顧客マスターの顧客コードから顧客名を検索し、振出人の位置に画面表示するようにする。尚、前記以外の手形の受取人、担当部署、担当者、処理手形一連番号等、顧客側が独自に必要としている管理諸項目が必要なときは別途入力することになる。
・・・（中略）・・・
　　　【００１５】
　前記ＭＩＣＲリーダー装置（ＭＩＣＲ　ＲＥＡＤＥＲ）Ｂは、ＭＩＣＲ（磁気インク文字）のリーダーであって、コンパクトサイズのモーター駆動式磁気インク文字を認識し、読取ったＭＩＣＲデーターにより手形種別、金融機関（銀行）５や支店名６、口座番号７、手形番号８、その他の要件事項が手形要件入力システムのデーターベースから検索されて、手形フオマットの所定位置に画面表示されると共に手形管理システムのデーターベース情報賭して格納できるように設定してある。」
　
（３−５）引用例５
　特開平４−２４３４９７号公報（以下「引用例５」という。）には、図面とともに、以下の記載がある。
　
（シ）「【００１４】また、小切手自動預入装置１は、操作手順や利用者への指示内容を表示する表示部２、小切手の預入者が口座番号などを入力する入力部としてのキーボード３、預け入れられた小切手を光学的にイメージデータとして読み取り、かつ、装置内に収納する光学読取収納部４、光学読取収納部４で読み取った小切手のイメージデータから、小切手上に記載された金額および小切手発行者の口座番号を含むＭＩＣＲ文字を文字認識する文字認識部５、小切手預け入れ内容が印字された受領書を印字発行する受領書発行部６、センタ装置９とのデータの交信を行なう送信部としてのインタフェース部７、そして、小切手自動預入装置１の全体を統括的に制御する制御部８により構成されている。」
　
（ス）「【００２２】小切手の預入者により、小切手が所定の預入口へ挿入されると（ステップ１００）、図１の小切手自動預入装置１は、光学読取収納部４により、小切手のイメージ読み取りを行う（ステップ１０１）。そして、読み取った小切手のイメージデータを、図１の文字認識部５に送り、この文字認識部５により、小切手のイメージデータから、小切手上に記載された金額およびＭＩＣＲ文字に対する文字認識を行なう（ステップ１０２）。さらに、文字認識の結果で得られた認識文字に基づき、図１の制御部８により、認識不能文字の有無や、桁数などの妥当性の判別を行う（ステップ１０３）。ここで、妥当であれば、金額およびＭＩＣＲ文字の認識結果データと、金額およびＭＩＣＲ文字のイメージデータとを、例えば、「金額および小切手情報を確認の上、確認入力して下さい」などのガイダンスと共に、図１の表示部２に表示する（ステップ１０４）。」
　
４．対比
　本願発明と引用例１発明とを対比すると、引用例１発明の「磁気インクの数字」、「磁気インク読取り装置」は、本願発明の「磁気インク文字」、「リーダー」にそれぞれ相当する。
　また、引用例１発明において、小切手の連番と出納金額とは区別して処理されているとともに、一般に、マイクロプロセッサで処理されて各種装置（記憶装置等）に出力されるデータは、コンピュータ読み取り可能なデータであるから、引用例１発明の「（磁気インクの数字の情報を）出力する手段」は、本願発明の「種別毎に分類してコンピュータ読み取り可能なデータとして出力する手段」に相当する。
　また、引用例１発明において、小切手読取り用フォーマットに、小切手の連番と出納金額とに関する情報が区別して記憶されているから、引用例１発明の「小切手の連番の読取り位置、小切手の連番の読取り長さ、出納金額の読取り位置及び出納金額の読取り長さからなる小切手読取り用フォーマット」は、本願発明の「種別毎の印字フォーマット」に相当する。
　また、引用例１発明の「コード番号」と、本願発明の「約束手形類発行所コード」とは、「印字フォーマット識別コード」という概念で共通する。
　また、引用例１発明の「記憶」することは、本願発明の「格納」することに相当する。
　また、引用例１発明の「第２記憶部」は、印字フォーマットを予め格納しているから、本願発明の「記憶手段」に対応する。
　また、引用例１発明の「数値キー群で入力された数値をコード番号として指定する手段」、「指定」されることと、本願発明の「前記リーダーで読み取られた前記磁気インク文字の情報から、所定の開始および終了を表す記号で挟まれた情報を約束手形類発行所コードとして認識する手段」、「認識」されることとは、「印字フォーマット識別コードを取得する手段」、「取得」されることという概念でそれぞれ共通する。
　また、引用例１発明の「読み出す」ことは、本願発明の「抽出する」ことに相当する。
　また、引用例１発明の「小切手の連番及び出納金額」と、本願発明の「約束手形類発行所コード以外の情報である約束手形類発行所本支店コード、当座預金口座番号、約束手形番号または小切手番号」とは、「約束手形類発行所コード以外の情報である小切手番号を含む情報」という概念で共通する。
　また、引用例１発明において、小切手の連番と出納金額とが、小切手読取り用フォーマットに対応して区別して処理されていることからすると、小切手の連番及び出納金額が、種別毎に分類して表示部に出力されているといえるから、引用例１発明の「（小切手の連番及び出納金額を、）表示部に出力する手段」と、本願発明の「前記抽出された印字フォーマットに対応して情報の種別毎に分類してディスプレイの約束手形内容または小切手内容の表示画面上に出力する手段」とは、「前記抽出された印字フォーマットに対応して情報の種別毎に分類してディスプレイに出力する手段」という概念で共通する。
　引用例１発明の「金銭出納機」は、小切手に磁気インク文字で印字された情報を読み取っているから、本願発明の「約束手形類情報入力支援装置」に対応する。
　
　そうすると、本願発明と引用例１発明とは、
「小切手に印字された磁気インク文字を読み取るリーダーと、
　このリーダーで読み取られた前記磁気インク文字の情報を種別毎に分類してコンピュータ読み取り可能なデータとして出力する手段と、
　印字フォーマット識別コードに対応する磁気インク文字の情報の種別毎の印字フォーマットを予め格納した記憶手段と、
　印字フォーマット識別コードを取得する手段と、
　取得された印字フォーマット識別コードに基づいて、前記記憶手段に格納された磁気インク文字の情報の種別毎の印字フォーマットを抽出する手段と、
　前記リーダーで読み取られた前記磁気インク文字の情報のうち、約束手形類発行所コード以外の情報である小切手番号を含む情報を、前記抽出された印字フォーマットに対応して情報の種別毎に分類してディスプレイに出力する手段と
を有することを特徴とする約束手形類情報入力支援装置。」
である点で一致し、以下の点で相違する。
　
［相違点１］
　本願発明では、記憶手段が、「約束手形類発行所コード」に対応する「約束手形類発行所における」磁気インク文字の情報の種別毎の印字フォーマットを予め格納し、取得する手段が、「前記リーダーで読み取られた前記磁気インク文字の情報から、所定の開始および終了を表す記号で挟まれた情報を約束手形類発行所コードとして認識」し、抽出する手段が、「認識」された「約束手形類発行所コード」に基づいて、前記記憶手段に格納された「当該約束手形類発行所における」磁気インク文字の情報の種別毎の印字フォーマットを抽出しているのに対して、引用例１発明では、記憶手段が、「コード番号」に対応する磁気インク文字の情報の種別毎の印字フォーマットを予め格納し、取得する手段が、「数値キー群で入力された数値をコード番号として指定」し、抽出する手段が、「指定」された「コード番号」に基づいて、前記記憶手段に格納された磁気インク文字の情報の種別毎の印字フォーマットを抽出している点。
　
［相違点２］
　ディスプレイに出力する手段が、本願発明では、小切手番号を含む情報として「約束手形類発行所本支店コード、当座預金口座番号、小切手番号」を、ディスプレイ「の小切手内容の表示画面上」に出力しているのに対して、引用例１発明では、小切手番号を含む情報として「小切手の連番及び出納金額」を、ディスプレイに出力している点。
　
５．当審の判断
　上記相違点について判断する。
　
［相違点１］について
　引用例２には、金融機関でまちまちの手形、小切手に対応するために、磁気インキ文字読取装置によりクリアバンド内の磁気インキを読み取り、読み取った情報から金融機関番号を認識し、認識した金融機関番号に基づいて金融機関に対応した処理を行う証券処理装置が記載されている。
　そして、引用文献１発明と引用文献２に記載された発明とは、磁気インク文字が印字された小切手等の記載事項を読み取る装置に関するものである点で共通する技術分野に属するから、引用例１発明に引用例２に記載された発明の技術を適用して、印字フォーマット識別コードとして「コード番号」に代えて「約束手形類発行所コード」を採用し、記憶手段を、「約束手形類発行所コード」に対応する「約束手形類発行所における」磁気インク文字の情報の種別毎の印字フォーマットを予め格納するものとし、取得する手段を、リーダーで読み取られた磁気インク文字の情報から約束手形類発行所コードを認識するものとし、抽出する手段を、「認識」された「約束手形類発行所コード」に基づいて、前記記憶手段に格納された「当該約束手形類発行所における」磁気インク文字の情報の種別毎の印字フォーマットを抽出するものとすることは、当業者が容易に想到できたことである。
　一方、磁気インクで印字された手形や小切手のドキュメントのフィールドと使用区分に関して、全国銀行協会連合会により、銀行番号及び手形交換所番号からなる交換番号欄の両端をトランシットシンボルで囲むことが取り決められており（上記摘記事項（キ）、（ク）を参照。）、たとえば引用例３に記載されているように、この取り決めに基づいて手形や小切手に磁気インクで印字された情報を読み取るとき、トランシットシンボルで囲まれた数字を銀行番号及び手形交換所番号として認識することは周知の事項であるから、引用例１発明に引用例２に記載された発明の技術を適用する際、リーダーで読み取られた磁気インク文字の情報から約束手形類発行所コードを認識するために、「前記リーダーで読み取られた前記磁気インク文字の情報から、所定の開始および終了を表す記号で挟まれた情報を約束手形類発行所コードとして認識」するようにすることは、当業者が適宜なし得たことである。
　
［相違点２］について
　たとえば引用例２乃至引用例５に記載されているように、小切手に約束手形類発行所本支店コード、当座預金口座番号、小切手番号を磁気インク文字で印字することは周知の事項である。また、たとえば引用例４、５に記載されているように、小切手等から読み取った磁気インク文字に関する情報を、ディスプレイの小切手等の内容の表示画面上に出力することも周知の事項である。
　したがって、引用例１発明において、小切手に約束手形類発行所本支店コード、当座預金口座番号、小切手番号を磁気インク文字で印字しておき、これらの情報をリーダーで読み取り、小切手番号を含む情報として「約束手形類発行所本支店コード、当座預金口座番号、小切手番号」を、ディスプレイ「の小切手内容の表示画面上」に出力するようにすることは、当業者が適宜なし得たことである。
　
　以上判断したとおり、本願発明における上記相違点１、２に係る構成は、いずれも当業者が容易に想到し得たといえるものであり、また、本願発明の作用効果も、引用例１発明、引用例２記載の発明及び周知の事項から当業者が予測できる範囲のものであり、格別顕著なものであるとは認められない。
　
　したがって、本願発明は、上記引用例１発明、引用例２記載の発明及び周知の事項に基づいて、当業者が容易に発明をすることができたものである。
　
６．むすび
　以上のとおり、本願発明は、上記引用例１発明、引用例２記載の発明及び周知の事項に基づいて、当業者が容易に発明をすることができたのもであるから、特許法第２９条第２項の規定により特許を受けることができない。
　
　よって、結論のとおり審決する。